(57)【特許請求の範囲】
【請求項１】
ドアフレーム用の挟み込み防止装置であって、扉Ｂが少なくとも２つのヒンジによって前記扉の固定フレームＡに連接され、前記２つのヒンジが横方向に隣接するように前記連接における前記ヒンジの幾何学的垂直連接軸が前記固定フレームＡの厚みの中間に配置され、前記扉Ｂが前記固定フレームＡに面する角丸縁部（６）を有する挟み込み防止装置において、
前記固定フレームＡが、前記固定フレームＡの全高にわたってかつ前記扉Ｂの前記角丸縁部（６）に面する傾斜面（２１）を有し、前記固定フレームＡからの前記傾斜面（２１）の距離が内側から外側の方向に増大し、前記傾斜面（２１）がカバーストリップ（２５）の内部面に接合し、前記カバーストリップ（２５）が、前記固定フレームＡを支承する壁部に対し平行に配置され、かつ前記扉Ｂの前記角丸縁部（６）を少なくとも通過するように前記固定フレームＡから前記扉Ｂの方向に向かって延在して、前記扉Ｂと前記固定フレームＡとの間の外部間隙Ｄへのあらゆる接近を阻止し、
一方、各々のヒンジが、
−一方で、前記扉Ｂの前記角丸縁部（６）の継続部を形成する、前記角丸縁部（６）のハウジング（７）内に嵌合する雄要素（２）を備え、
−他方で、雌要素（３）を備え、前記雌要素（３）が、
・前記角丸縁部（６）の継続部で、前記雄要素（２）内に嵌合する円筒状の連接体（３ａ）と、
・前記傾斜面（２１）の継続部で、前記固定フレームＡの前記傾斜面（２１）に開くハウジング（２０）内に嵌合する固定マウント（３ｂ）と、から構成される
ことを特徴とする挟み込み防止装置。
【請求項２】
前記扉Ｂの角丸縁部（６）に面する前記傾斜面（２１）及び前記カバーストリップ（２５）が、固定フレームＡに形成されることを特徴とする、請求項１に記載の挟み込み防止装置。
【請求項３】
前記扉Ｂの角丸縁部（６）に面する前記傾斜面（２１）及び前記カバーストリップ（２５）が、固定フレームＡに加えられかつ取り付けられるセクション部片（５）に形成されることを特徴とする、請求項１に記載の挟み込み防止装置。
【請求項４】
各々のヒンジの前記雄要素（２）が、横たわったＵ字形ブラケットからなり、前記Ｕ字形ブラケットのフランジ（２ａ）の各々が、他方のフランジ（２ａ）に向かって突出する垂直ヒンジピン（９）を支承することを特徴とする、請求項１に記載の挟み込み防止装置。
【請求項５】
各々のヒンジの前記雄要素（２）のウェブ（２ｂ）が、前記ハウジング（７）の底部に形成されたほぞ穴（８）と相互作用できる背面のほぞ（２ｃ）を備え、前記ほぞ穴（８）が、前記扉Ｂの角丸縁部（６）と整列して前記雄要素（２）の縁部を位置決めするように前記ほぞ（２ｃ）を受け入れることを特徴とする、請求項４に記載の挟み込み防止装置。
【請求項６】
各々のヒンジの前記雌要素（３）に、前記円筒状の連接体（３ａ）が、取り外し可能なカバー（４）によって閉鎖することができる開口部（１１）を画定するＣ字形の断面を有し、前記開口部（１１）が、前記雄要素（２）の前記ヒンジピン（９）を受け入れるための垂直溝（１４）と、前記開口部（１１）の中央部分に、前記ヒンジピン（９）の端部の間に挿入することができる小棒（１７）とを備え、前記カバー（４）内に作られた横方向スロット（１６）との協働によって前記カバー（４）を位置決めするための部材を構成することを特徴とする、請求項１〜４のいずれか一項に記載の挟み込み防止装置。
【請求項７】
前記雌要素（３）における前記円筒形の連接体（３ａ）を閉鎖することができる取り外し可能なカバー（４）を有し、
前記カバー（４）が、片側でクリアランス面（１４ｂ）に接続する垂直溝（１４ａ）を備え、前記クリアランス面が前記垂直溝に対し接線方向であり、かつ他の側の前記カバーを画定する横方向面（１３ａ）に対しほぼ平行であることを特徴とする、請求項１〜６のいずれか一項に記載の挟み込み防止装置。
【請求項８】
前記ヒンジの前記雌要素（３）の前記固定マウント（３ｂ）が、前記固定マウント（３ｂ）の背部に、プロフィールを備え、前記プロフィールの面（３０ａ〜３３ａ）が、前記雌要素の横方向位置決めを行うように前記プロフィールを受け入れる前記ハウジング（２０）の底部に形成された面（３０〜３３）を補完することを特徴とする、請求項１に記載の挟み込み防止装置。
【請求項９】
各々のヒンジの前記雌要素（３）に、前記円筒状の連接体（３ａ）が、取り外し可能なカバー（４）によって閉鎖することができる開口部（１１）を画定するＣ字形の断面を有し、
前記連接体（３ａ）で前記扉Ｂのヒンジを外すための前記開口部（１１）を画定する面（１２及び１３）が、９０°の開口角度を超えると前記カバー（４）を取り外すことができるように、かつ８０°の開口角度で前記扉Ｂのヒンジを外すことができるように、前記固定マウント（３ｂ）に対し位置決めされることを特徴とする、請求項１、４及び６のいずれか一項に記載の挟み込み防止装置。
【請求項１０】
一方で、前記カバー（４）用の前記連接体（３ａ）に形成された前記開口部（１１）の中央面が、他方で、前記カバーを前記連接体（３ａ）に接続する固定ねじ（４５）用の孔（４３及び４４）の幾何学的軸が、前記連接体（３ａ）のほぼ垂直中央面Ｐにあることを特徴とする、請求項９に記載の挟み込み防止装置。
【請求項１１】
ドアフレーム用の挟み込み防止装置であって、扉Ｂが少なくとも２つのヒンジによって前記扉Ｂの固定フレームＡに連接され、前記２つのヒンジが横方向に隣接するように前記連接における前記ヒンジの幾何学的垂直連接軸が前記固定フレームＡの厚みの中間に配置され、前記扉Ｂが前記固定フレームＡに面する角丸縁部（１０６）を有する挟み込み防止装置において、
前記固定フレームＡが、前記固定フレームＡの全高にわたってかつ前記扉Ｂの前記角丸縁部（１０６）に面する傾斜面（１２１）を有し、前記固定フレームＡからの距離が前記傾斜面（１２１）の内側から外側の方向に増大し、前記傾斜面（１２１）がカバーストリップの内部面に接合し、前記カバーストリップが、前記固定フレームを支承する壁部に対し平行に配置され、かつ前記扉Ｂの前記角丸縁部（１０６）を少なくとも通過するように前記固定フレームＡから前記扉Ｂの方向に向かって延在して、前記扉Ｂと前記固定フレームＡとの間の外部間隙Ｄへのあらゆる接近を阻止し、
一方、各々のヒンジが、
−一方で、前記扉Ｂの前記角丸縁部（１０６）の継続部を形成する、前記角丸縁部（１０６）のハウジング内に嵌合する雄要素（１０２）を備え、
−他方で、雌要素（１０３）を備え、前記雌要素（１０３）が、
・前記角丸縁部（１０６）の継続部で、前記雄要素（１０２）内に嵌合する円筒状の連接体（１０３ａ）と、
・前記傾斜面（１２１）の継続部で、前記固定フレームＡの前記傾斜面（１２１）に開くハウジング内に嵌合する固定マウントと、から構成され、
前記雄要素（１０２）のフランジ（１０２ａ）の各々が、他方のフランジ（１０２ａ）に向かって突出するヒンジピン（１０９）を支承し、
非常に低い摩擦係数を有するプラスチックから作られた１対の連接部片（５０）が、各々のヒンジの２つの対向ヒンジピン（１０９）と関連付けられ、前記２つの対向ヒンジピン（１０９）の各々が、前記ヒンジピン（１０９）に嵌合するブッシュ（５１）と、円形フランジ（５２）とから構成され、１対の連接部片（５０）の前記円形フランジ（５２）における各々の厚さｕとｖが、機能的なクリアランスを表す和Ｓ＝ｖ＋ｕが、雄要素（１０２）のフランジ（１０２ａ）の間の間隙Ｌ１と、雌要素（１０３）及びカバー（１０４）の厚さＬ２との間の差Ｌ１−Ｌ２に等しいように規定され、同一の値Ｓ＝ｖ＋ｕを満たす他の１対の連接部片（５０）と交換可能であることを特徴とする挟み込み防止装置。
【請求項１２】
ドアフレーム用の挟み込み防止装置であって、扉Ｂが少なくとも２つのヒンジによって前記扉Ｂの固定フレームＡに連接され、前記２つのヒンジが横方向に隣接するように前記連接における前記ヒンジの幾何学的垂直連接軸が前記固定フレームＡの厚みの中間に配置され、前記扉Ｂが前記固定フレームＡに面する角丸縁部（１０６）を有する挟み込み防止装置において、
前記固定フレームＡが、前記固定フレームＡの全高にわたってかつ前記扉Ｂの前記角丸縁部（１０６）に面する傾斜面（１２１）を有し、前記固定フレームＡからの距離が前記傾斜面（１２１）の内側から外側の方向に増大し、前記傾斜面（１２１）がカバーストリップの内部面に接合し、前記カバーストリップが、前記固定フレームを支承する壁部に対し平行に配置され、かつ前記扉Ｂの前記角丸縁部（１０６）を少なくとも通過するように前記固定フレームＡから前記扉Ｂの方向に向かって延在して、前記扉Ｂと前記固定フレームＡとの間の外部間隙Ｄへのあらゆる接近を阻止し、
一方、各々のヒンジが、
−一方で、前記扉Ｂの前記角丸縁部（１０６）の継続部を形成する、前記角丸縁部（１０６）のハウジング内に嵌合する雄要素（１０２）を備え、
−他方で、雌要素（１０３）を備え、前記雌要素（１０３）が、
・前記角丸縁部（１０６）の継続部で、前記雄要素（１０２）内に嵌合する円筒状の連接体（１０３ａ）と、
・前記傾斜面（１２１）の継続部で、前記固定フレームＡの前記傾斜面（１２１）に開くハウジング内に嵌合する固定マウントと、から構成され、
前記扉Ｂの全高にわたって、内部挟み込み空間Ｃがシール（６０）によって閉鎖され、前記シール（６０）の作用部分（６１）が、前記扉Ｂの角丸縁部（１０６）と、前記雌要素（１０３）の丸い面（１０３ａ）を押圧することを特徴とする挟み込み防止装置。
【発明の詳細な説明】
【技術分野】
【０００１】
本発明は、ドアフレーム、すなわちドア、窓又はフランス窓用の「指挟み込み防止装置」としてより一般に知られる挟み込み防止装置に関する。
【０００２】
扉が開放位置に運ばれるとき、空間が扉の縦枠と後縁面との間に形成され、固定フレームに寄り掛かっている成人の１本以上の指を含む様々な要素、又は好奇心の強い幼い子供がこの空間に入る可能性がある。ドアが開放位置に戻された場合、形成された空間を画定する面が共に密接に移動し、顎のように、連接軸と扉の自由縁部との間に形成されるレバーアームによって力が増大されるので、ますます強くなる力によって面の間にあるものすべてが挟み込まれる。このような挟み込みは成人の指に対し苦痛を与え、子供の指には深刻な外傷をもたらし、それは永続的な後遺症を伴う骨折である場合もある。
【背景技術】
【０００３】
このことを解決するために、従来技術はいくつかの解決方法を提供している。
【０００４】
今日最も普通に利用されている解決方法は、少なくとも扉の下方部分に、両側及び扉と固定フレームとの間に、外部挟み込み領域を覆うカバーを取り付け、何かが外部挟み込み領域に入ることを防止することである。仏国特許第２７２６３１７号明細書は、これに関する一実施形態を記載している。この装置は有効であるが、審美的に全く魅力的でない。
【０００５】
他の解決方法では、国際公開第２００７／０２０４０２４号パンフレット及び仏国特許第２７２３１３６号明細書に記載されているように、扉は頂部及び底部に配置された回動軸によって連接される。仏国特許第２７５１３７０号明細書は、扉が固定フレームに対し平坦に折り畳まれるように回動することを可能にするリンクロッドを有する二重連接部を記載している。したがって、開放位置で、挟み込み顎部は、顎部の間に１８０°の角度を形成し、好奇心の強い子供の注意をもはや引かない。
【０００６】
同様に回動軸を使用する連接技術に関する独国特許第１００２３７６４号明細書では、固定フレーム及び扉それぞれの互いに対向する縁部は、一方は凹状及び他方は凸状であり、固定フレーム及び扉の間の半径方向クリアランスを制限するように、かつ開放位置で、要素の間の間隙を低減し、したがって、この間隙に指が挿入されるあらゆる可能性を防止するように互いに噛み合う。
【０００７】
これらの解決方法に関する不都合は、これらの解決方法が、頂部及び底部の回動軸を使用する連接部を利用し、これらの回動軸は、ドアフレームのすべての型式に適しておらず、取り外しが難しいことである。
【０００８】
ワードローブ又はキャビネットドア用の連接部に関する欧州特許第０２３７７８９号明細書では、扉は少なくとも２つのヒンジによって固定フレームに連接され、ヒンジの垂直連接軸は、固定フレームの厚みの中間に横方向に配置され、前記扉は、固定フレームに面する角丸縁部を有し、各々のヒンジは、
−一方で、前記扉の角丸縁部の継続部を形成する角丸縁部のハウジング内に嵌合する要素を備え、
−他方で、
・要素それ自体が前記扉の角丸縁部のハウジング内に嵌合する要素内に嵌合する連接体と、
・前記扉の角丸縁部に面する固定フレームから開くハウジング内に嵌合する固定マウントとから構成される要素を備える。
【０００９】
このキャビネットドアの連接部は、弾性ノッチによって、２つの位置でドアを固定化するように設計されるが、扉と固定フレームとの間に子供の指が挟み込まれる問題に対する解決方法を提供しておらず、この理由は、当該特許文献の図９が示すように、前記扉の角丸縁部が固定フレームの平坦な面に面し、この平坦な面と共に、扉が、子供たちが指を近づけてしまう可能性が高い開放空間１０"を形成するからである。
【発明の概要】
【発明が解決しようとする課題】
【００１０】
本発明の目的は、記載した最後の構造からのその示唆を考慮して、ドアフレームの審美的な外見を損なわず、扉が開放された角度に関わらず信頼性が高く、両側から有効であり、また複雑な操作なしに、誰もが扉を取り外すことを可能にするドアフレーム用の挟み込み防止装置を提供することである。
【課題を解決するための手段】
【００１１】
本発明によれば、固定フレームは、固定フレームの全高にわたってかつ扉の角丸縁部に面して、前記角丸縁部の傾斜面を有し、固定フレームからの距離は内側から外側の方向に増大し、前記角丸縁部がカバーストリップの内部面に接合し、このストリップは、固定フレームを支承する壁部に対し平行に配置され、かつ扉Ｂの前記角丸縁部を少なくとも通過して延在して、扉と固定フレームとの間の外部間隙Ｄへのあらゆる接近を阻止し、一方、ヒンジの各々は、
−一方で、扉の前記角丸縁部の継続部を形成する前記角丸縁部内に嵌合する雄要素を備え、
−他方で、
・前記角丸縁部の継続部で、雄要素内に嵌合する円筒状の連接体と、
・傾斜面の継続部で固定フレームの前記傾斜面に開くハウジング内に嵌合する固定マウントとから構成される雌要素を備える。
【００１２】
扉の角丸縁部、扉が固定フレームの傾斜面の近くで回動されること、扉が、その厚みの中間に配置された垂直の幾何学的軸を中心に連接されることによって、かつ同様に各々のヒンジ用のマウントによって、扉が開放されてもこれらの要素の間の空間の大きさは変わらず、このことは、外部挟み込み空間がもはやないことを意味する。
【００１３】
さらに、この空間を固定フレームから突出するストリップによって覆うことにより、いずれの異物もこの空間内に入らないようにする。
【００１４】
連接部の他方の側面で、すなわち、扉の開放時に関与する回動運動中により密接に共に移動する面と同一の側面で、扉の角丸縁部は、空間に入った身体の上方で摺動し、この運動を先駆けし、またこのように形成された顎部が挟み込む位置にくる前に、この空間に係合した物体を取り除くよう促進する。顎部が噛むか挟み込んだ場合、固定フレームの面の傾斜により、挟み込まれそうになっている身体を追い出そうとする力成分が発生する。
【００１５】
実施形態に応じて、扉の角丸縁部及びカバーストリップに面する傾斜面は、交換されるドアフレームの既存の固定フレームに加えられかつ取り付けられるか、あるいは新しいドアフレームの固定フレームを構成するセクション部片に形成される。
【００１６】
この実施形態は、挟み込み防止装置を既存の又は新しいドアフレームに使用できることを意味する。
【００１７】
本発明の一実施形態において、各々のヒンジの雄要素は、横たわったＵ字形ブラケットからなり、Ｕ字形ブラケットのフランジの各々は、他方のフランジに向かって突出する垂直ヒンジピンを支承し、一方、各々のヒンジの雌要素に、円筒状の連接体は、取り外し可能なカバーによって閉鎖することができる開口部を画定するＣ字形の断面を有し、この開口部は、雄要素のヒンジピンを受け入れるための垂直溝と、開口部の中央部に、ヒンジピンの端部の間に挿入することができる小棒とを備え、カバー内に作られた水平スロットとの協働によってカバーを位置決めするための部材を構成する。
【００１８】
用途に応じて、挟み込み防止装置の様々な構成要素は、プラスチックあるいは鋼又はアルミニウムのような金属から製造することができる。
【００１９】
他の特徴及び利点は、ドアに適用される場合に本発明による装置の一実施形態を示す添付の概略図を参照して、引き続く説明から明らかになるであろう。
【図面の簡単な説明】
【００２０】
【図１】装置を構成する様々な構成要素を示した分解斜視図である。
【図２】ヒンジの雄要素の斜視図である。
【図３】扉の角丸縁部のヒンジ用に形成されたハウジングの斜視図である。
【図４】後部からのヒンジの雌要素の斜視図である。
【図５】前部からのヒンジの雌要素の斜視図である。
【図６】ヒンジの雌要素を受け入れるためのハウジングを有する領域で、固定フレームに加えられることができるセクション部片のセクションの部分斜視図である。
【図７】雌要素を閉鎖するカバーの斜視図である。
【図８】扉が閉鎖位置にあるときの１つのヒンジの断面を示した拡大部分図である。
【図９】カバーを取り外す位置にあるときの１つのヒンジの断面を示した拡大部分図である。
【図１０】扉が固定フレームと整列されるときの、ドアフレームのフラグメントの構造の外側からの部分斜視図である。
【図１１】扉が開く途中段階の、ドアフレームのフラグメントの構造の外側からの部分斜視図である。
【図１２】扉が大きく開いたときの、ドアフレームのフラグメントの構造の外側からの部分斜視図である。
【図１３】扉が固定フレームと整列されるときの、ドアフレームのフラグメントの構造の内側からの部分斜視図である。
【図１４】扉が開く途中段階の、ドアフレームのフラグメントの構造の内側からの部分斜視図である。
【図１５】扉が大きく開いたときの、ドアフレームのフラグメントの構造の内側からの部分斜視図である。
【図１６】連接手段の代替形態を示した部分断面図である。
【図１７】座金の厚さの一実施形態を有する雌ヒンジ要素の縮小部分斜視図である。
【図１８ａ】座金の対の厚さを示した側面立面図である。
【図１８ｂ】座金の対の厚さを示した側面立面図である。
【図１８ｃ】座金の対の厚さを示した側面立面図である。
【図１９】追加の挟み込み防止シール用のスロットを備える雌構成要素の一実施形態の部分斜視図である。
【図２０】固定フレームに挟み込み防止シールが取り付けられたドアの、上からの部分斜視図である。
【発明を実施するための形態】
【００２１】
この図面において、ドアフレームの固定フレーム及び扉は、文字ＡとＢによって一般に参照され、一方、装置の構成要素は次の数字、すなわち、ヒンジのそれぞれの雄要素及び雌要素について２と３、雌要素３を閉鎖するカバーについて４、及び図１に示した実施形態では、既存のドアフレームの固定フレーム１に対し加えられるが、図８〜図１５に示したように、それ自体がドアフレームの固定フレームを構成できるであろうセクション部片について５によって参照される。
【００２２】
公知の方法では、各々の扉Ｂは、少なくとも２つの、時には３つの取り外し可能なヒンジによってその固定フレームＡに連接され、ヒンジの回転軸は垂直に整列される。本発明による装置では、扉が移動するときに、該扉の縁部が突出して、開放時に外側に形成される挟み込み領域Ｄを拡げないように、この幾何学的連接軸はドアフレームの厚みの中間に配置される。挟み込み防止装置の構成要素は、成形又は鋳造によって製造され、実施形態に応じて、プラスチックあるいは鋼、銅又はアルミニウムのような金属を使用する。
【００２３】
装置は、扉Ｂに装着され、固定フレームＡに連接されるように意図される扉の縁部６は角丸に形成され、図３により詳細に示したように、局所的に、ヒンジ２−３を各々が受け入れることができるハウジング７を有する。
【００２４】
図２により詳細に示されているように、ヒンジの雄要素２は、横たわったＵ字形ブラケットの全体形状を有し、Ｕ字形ブラケットのフランジ２ａの各々は、扉の角丸縁部６と同一の半径を有する丸い端部を有する。したがって、この要素が扉のハウジング７の１つに嵌合されるとき、扉のフランジの丸い縁部は、扉の角丸縁部６の継続部に位置し、すなわち、扉の中で後退もしないし、扉から突出もしない。
【００２５】
この正確な位置決めを達成するために、雄要素２は、背面のほぞ２ｃを有し、このほぞは、そのウェブ２ｃから突出して、各々のハウジング７の底部に形成されたほぞ穴８内に嵌合する。
【００２６】
フランジ２ａの各々は、垂直のヒンジピン９を支承し、このヒンジピンは、フランジの内面から突出して、他方のフランジに向かって同軸に延在する。２つのヒンジピンの対向端部は、間隙Ｋだけ離れている。最後に、図２は、ウェブ２ｂが、構成要素を扉に取り付けるために使用されるねじを通過させて固定するための２つの孔４０を有することを示している。
【００２７】
図４と図５は、ヒンジの雌要素３は、単体であるが、２つの部分、すなわち連接体３ａと固定マウント３ｂとから構成されることを示している。連接体３ａは、垂直軸を有するまた扉の角丸縁部６の半径に等しい半径を有する円筒状の全体形状であるが、Ｃ字形の断面を有する。Ｃの開口部１１は、雄要素２のヒンジピン９を収容できる円筒状及び垂直の溝１４に向かって収束する２つの半径方向面１２と１３によって画定される。この開口部は、連接体３ａの半径と同一の外部半径を有する環状セグメントの形状のカバー４を受け入れるように意図される。連接体３ａの内側に嵌合する開口部の部分では、カバーは、垂直に通過する溝１４ａを有し、この溝は、連接体３ａの溝１４と共に、ヒンジピン９が装着される軸受を形成する。
【００２８】
カバー４は、連接体の半径方向面１２と１３に嵌合するカバーの半径方向面１２ａと１３ａを介して横方向に位置決めされ、ほぼその高さの中間に配置されかつ連接体３ａに含まれる小棒１７に嵌合する横方向スロット１６によって垂直に位置決めされる。この小棒は、２つのヒンジピン９の間の距離Ｋよりも小さい垂直寸法を有し、この結果、小棒をヒンジピンの間に挿入することができる。
【００２９】
図７に示した実施形態では、カバー４は、連接体の面１３の後に形成された平坦な面取り部１９を覆うように意図される垂直のタブ１８を備え、この目的は、連接体の組立体のカバーが、シリンダに押圧される物体又は身体を捕らえ得る凹凸又は切欠きを有しない当該シリンダを形成することである。
【００３０】
カバーの丸い溝１４ａは、それに対し接線方向のかつ面１３ａに対しほぼ平行のクリアランス面１４ｂに接続し、その有用性については以下で説明する。
【００３１】
各々のヒンジの取付けマウント３ｂは、ハウジング２０の１つに嵌合するように意図され、ハウジングは、ドアフレームの固定フレームＡを構成するか又は当該固定フレームに取り付けられるセクション部片５に垂直に形成される。
【００３２】
これらの２つの用途の各々では、扉の角丸縁部６に面するように意図される面２１は、約４５°傾斜され、内側から外側の方向に固定フレームから離れて延在する。この傾斜面は、内部側面で、凸状隅肉２２によって内部横方向面２３に接合し、他方の側面で、壁部の外部横方向面２６の継続部に配置された凸状隅肉２４によってカバーストリップ２５に接合される。
【００３３】
ハウジング２０の各々は、環状形状を有し、底壁３０及び側壁３１である２つの垂直壁部によって画定される。これらの壁部の各々から、垂直に方向付けられたリブ３２と３３がそれぞれ突出している。ハウジング２０の段付きプロフィールは、基部に嵌合されるべきヒンジのマウント３ｂの基部の形状に対応する。図４は、マウント３ｂの面３０ａ〜３３ａを示しており、これらの面は、ハウジングの面３０〜３３と接触することによって、固定フレームに対しこのマウント及びヒンジの雌要素３ｂを位置決めする。
【００３４】
各々のヒンジの雄要素２は、ウェブ２ｃに作られた孔４０を通過する水平ねじによって扉Ｂに取り付けられ、一方、雌要素３は、要素内の平坦な孔４１を通過する水平ねじによってセクション部片５に取り付けられ、このセクション部片のタップ穴４２内にねじ留めされる。カバー４は、平坦な孔４３を介して雌要素３を通過する水平ねじ４５によって雌要素３に取り付けられ、雌要素３のタップ穴４４内にねじ留めされる。
【００３５】
図８に示されているように、ヒンジが組み立てられ、セクション部片又は固定フレームのハウジング２０内に固定されたとき、セクション部片５の又は固定フレームの端面と同一の横方向のプロフィールを有するハウジングのマウント３ｂは、扉Ｂの開放運動又は閉鎖運動中に内部挟み込み空間Ｃに入る身体を捕らえ得る突出部又は切欠きを形成しない。図８に示した位置から図９の位置に扉Ｂを運ぶように開放する際、９０°よりも大きく、例えば１２０°にドアを開放できるようにするために必要な空間Ｃの幅の低減により、挟み込みは全く生じない。具体的には、扉の内部面Ｂ１と固定フレームの傾斜面２１との間に身体が挟み込まれた場合、面２１の傾斜により、この身体を外側方向に追いやり、その領域から追い出すようにする締付力の成分が発生する。
【００３６】
この同一の図は、ヒンジの幾何学的連接軸Ｇは、固定フレームＢの厚みの中間にあり、すなわち、この固定フレームＡ及び扉Ｂの垂直中央面Ｐにあることを示している。同様に、この同一の図は、連接部及びヒンジの各々の様々な要素は、互いの継続部にあり、突出部又は切欠きを有さず、また連接部の幾何学的連接軸を通過して横方向面Ｔまで扉に向かって延在するカバーストリップ２５が、１〜２ミリメートルの値Ｊだけ扉Ｂの角丸縁部６から離間するように寸法決めされることを示している。
【００３７】
この構成のため、外部挟み込み領域Ｄは存在せず、ストリップ２４によってドアフレームの全高にわたって保護され、このことは、図１０〜図１５に示したように扉が占め得るすべての位置に当てはまる。この外部領域Ｄでは、クリアランスＪの値が小さいため、異物、したがって子供たちの指が入ってしまうことが防止される。さらに、扉の角丸縁部６及びヒンジの可視部分の滑らかな性質により、ストリップ２５の外側の異物を捕らえることが防止され、また異物が扉の閉鎖運動中に保持されることが防止され、このように、挟み込みのすべての危険性が排除される。
【００３８】
図９は、雌要素３に形成された開口部１１を露出させるために扉Ｂが９０°に開放され、扉Ｂのヒンジを外す目的でカバー４の引き抜きを可能にするときの扉Ｂを示している。
【００３９】
カバー４の取り外しは、ヒンジピンを捕らえずかつ開口部１１からの半径方向の移動を可能にするカバーのクリアランス面１４ｂによってより容易となるが、この開口部は、要素２のウェブ２ｂによって完全に露出されないことが指摘される。
【００４０】
カバーが引き抜かれると、ヒンジの外しを容易にするために、ドアは、鎖線に示したような約８０°のより小さな開口角度に戻されなければならず、ヒンジピン９が、雌要素３に形成された開口部の面１２に対して摺動することを可能にする。
【００４１】
扉を再装備するためには、逆の手順に従わなければならない。この場合、ヒンジの雌要素３の各々の面１２と１３は、開口部１１の底部のヒンジピンの係合を容易にし、このことは、ヒンジピンを備える従来の扉の場合のように、ヒンジピンを収容する要素とヒンジピンが整列しているかを点検する必要がないことを意味することを指摘したい。このことは、再装備が非常により容易になることを意味する。
【００４２】
最後に、本発明の１つの特徴によれば、一方で、カバー４用の連接体３ａに形成された開口部１１の中央面、他方で、カバーを連接体３ａに接続する固定ねじ４５用の孔４３と４４の幾何学的軸は、連接部のほぼ垂直中央面Ｐにある。
【００４３】
この特別な構成により、悪意があってドアのヒンジを外そうとする場合、すなわち、外側からドアを蹴ることによって、あるいは図８の矢印５０の方向に力をドアに加えることによってドアが閉鎖された場合、ヒンジのタップ４３及びねじ４５である接続アセンブリは剪断力を受け、この接続アセンブリは、横方向であっても、張力で働く場合よりも数倍良くこの剪断力に耐えることができる。
【００４４】
さらに、面１２と１３の間に約９０°の角度が画定されるとき、面１２と１３に加えられる横方向力は、中央面Ｐに対し平行の成分を有し、この成分は横方向力の値を低減し、かつ不法侵入の試みによる被害を制限する。
【００４５】
上述の説明から、本発明による装置は、成人又は子供が彼らの指部を挟み込むことを防止する機能を完全に実行し、ドアフレームの審美的な外見を損なわず、同時に破壊行為に対する抵抗性を提供し、この抵抗性はヒンジピンを有する扉によって提供される抵抗性と同程度に有効であることが明らかである。
【００４６】
以下の実施形態では、同一の形状を有し、同一の機能を実行する要素は、それらの参照番号を保持し、修正された要素は１００を加えることによって参照され、新しい要素は５０以上の番号で参照される。
【００４７】
図１６〜図１８ｃに示した実施形態は、各々のヒンジピン１０９に、ヒンジピン１０９の一方とその孔１１４との間に挿入されたブッシュ５１から構成された連接部片５０と、雄要素１０２の一方のフランジ１０２ａと雌要素１０３及びカバー１０４の対向面との間に挿入された円形のフランジ５２とを追加することにより、先行実施形態とは異なる。連接部片５０は、ポリテトラフルオロエチレンのような高いスリップ係数を有するプラスチックから製造される。
【００４８】
この構成により、ドアの運動中の摩擦力が著しく低減されるが、同時に、例えば経時的な摩耗を補償するために、機能的な垂直のクリアランスを調整する可能性が提供される。
【００４９】
このため、各々のヒンジでは、同一の雄要素１０２のヒンジピン１０９と関連する連接部片５０が、一連のＱ１、Ｑ２、Ｑ３．．．Ｑｎで、かつ対の円形フランジの一方の厚さｖが他方の座金の厚さｕの補完であるように対にされ、この結果、機能的なクリアランスを表す和Ｓ＝ｖ＋ｕは、雄要素のフランジ１０２ａの間の間隙Ｌ１と、雌要素１０３及びカバー１０４の厚さＬ２との間の差Ｌ１−Ｌ２に等しい。
【００５０】
対の部片は、図示した一連のＱ１〜Ｑ３に関する図１８ａ〜図１８ｃのように、例えばｖ１とｕ１、ｖ２とｕ２、ｖ３とｕ３等の、各対内の円形のフランジの厚さの値に関して異なる一連の対から選択される。
【００５１】
実際に、Ｓの値は約５ミリメートルであり、変化の増分は、０．５〜１ミリメートルの厚さから開始して約１ミリメートルである。各対の構成要素は可逆であり、色によって又は可視のコードによって識別されるので、様々な一連の間の構成要素の混合はあり得ない。
【００５２】
この構成により、繰り返し使用の後に、扉Ｂが固定フレームＡに対し下に下がった場合、ヒンジによって生じる連接部の高さは、ドアを取り外すと容易に調整することができる。
【００５３】
必要なことは、一連のＱ１の連接部片５０を一連の部片Ｑ２又はＱ３で置き換えることのみであり、一連の部片Ｑ２又はＱ３は、下方円形フランジについて、初期の厚さｕ１よりも大きなｕ２又はｕ３を有し、また相応してかつ補償するために、上方円形フランジのより小さな厚さｖ２又はｖ３を有し、この結果、値Ｌ１は一定のままである。
【００５４】
図１９と図２０の実施形態では、扉Ｂの全高にわたって、内部挟み込み空間Ｃはシール６０によって閉鎖され、シールの作用部分６１は、扉Ｂの隅肉１０６及び雌要素１０３の丸い面１０３ａを押圧する。この作用部分は、狭いストリップとして示されているが、作用部分が丸い面に対し弾性的に確実に押圧され、したがって、図２０に示したように、空間Ｃ内へ身体又は指が入るのを阻止することを前提として、他の任意の形態を取ることができるであろう。
【００５５】
シール６０には、ヒール６２が取り付けられ、このヒールを介して、シールが、セクション部片１０５の傾斜面１２１の上に開く垂直スロット６３内に、また固定マウント１０３から空間Ｃ内に開いて、第１のスロット６３と整列されるスロット６４内に設けられる。
【００５６】
シール６０が、扉Ｂと固定フレームＣとの間の機能的な空間Ｆを閉鎖することによって、音及びノイズ伝達の低減に寄与する。
【図１】
0005572876.tif 000002
【図２】
0005572876.tif 000003
【図３】
0005572876.tif 000004
【図４】
0005572876.tif 000005
【図５】
0005572876.tif 000006
【図６】
0005572876.tif 000007
【図７】
0005572876.tif 000008
【図８】
0005572876.tif 000009
【図９】
0005572876.tif 000010
【図１０】
0005572876.tif 000011
【図１１】
0005572876.tif 000012
【図１２】
0005572876.tif 000013
【図１３】
0005572876.tif 000014
【図１４】
0005572876.tif 000015
【図１５】
0005572876.tif 000016
【図１６】
0005572876.tif 000017
【図１７】
0005572876.tif 000018
【図１８ａ】
0005572876.tif 000019
【図１８ｂ】
0005572876.tif 000020
【図１８ｃ】
0005572876.tif 000021
【図１９】
0005572876.tif 000022
【図２０】
0005572876.tif 000023